(57)【特許請求の範囲】
【請求項１】
洗車条件の設定操作を行うとともに被洗浄車両の進入経路に沿って設置されるリモートパネルを備えた洗車機において、前記リモートパネルが、地面に立てた状態で設けられるスタンド部と、前記スタンド部により支持される本体筐体と、前記本体筐体の前面に設けられる料金の投入口と、前記本体筐体の前面に開口して釣り銭を受ける返却口と、前記スタンド部の内部に配置され前記本体筐体を昇降させるエアシリンダと、エア配管を介して前記エアシリンダに接続されるとともに電気信号により前記エアシリンダを駆動制御する制御部材と、を備え、前記本体筐体の前面が下壁よりも下方に延びる延設部を有し、前記返却口を前記延設部に設けるとともに、前記制御部材を前記スタンド部の内部に配置したことを特徴とする洗車機。
【請求項２】
前記制御部材が前記延設部に対向して配置されることを特徴とする請求項１に記載の洗車機。
【請求項３】
地面から前記延設部の下端までの高さが６００ｍｍよりも低く、地面から前記制御部材の下端まで高さが６００ｍｍよりも高いことを特徴とする請求項２に記載の洗車機。
【請求項４】
前記返却口の前面が常時開放され、前記返却口の底部に水抜き孔が設けられることを特徴とする請求項１〜請求項３のいずれかに記載の洗車機。
【発明の詳細な説明】
【技術分野】
【０００１】
本発明は洗車機に関する。
【背景技術】
【０００２】
給油所等に設置される従来の洗車機が特許文献１及び２に開示されている。特許文献１及び２に記載された洗車機は洗車条件の設定操作を行うとともに支払いを受け付けるリモートパネル（操作装置、設定器、操作ボックス）を備える。洗車機のリモートパネルは一般的に、被洗浄車両の進入経路に沿って設置される。
【０００３】
洗車機のリモートパネルは、例えばその本体筐体の前面に洗車条件の設定操作を行うための操作部や料金の投入口、釣り銭の返却口などを備える。また、洗車機のリモートパネルはその操作や金銭の授受を車両の内部（例えば運転席）から容易に行うことができるようにするため、操作装置の本体筐体を昇降させる昇降機構を備えるものがある。昇降機構としてはエアシリンダが用いられることが多い。そして、洗車機はリモートパネルを介して利用者から洗車条件の設定操作と洗車に係る対価の支払いを受け付けて車両の洗浄を実行する。
【先行技術文献】
【特許文献】
【０００４】
【特許文献１】特開平１０−２４８１１号公報
【特許文献２】特開２００４−１８２１３７号公報
【発明の概要】
【発明が解決しようとする課題】
【０００５】
しかしながら、上記のような洗車機のリモートパネルに設置された釣り銭の返却口は一般的に、対向する利用者側に向かって開口して下方に窪んだ凹部として形成されることが多い。従来の洗車機のリモートパネルはこの釣り銭の返却口に水が入り易く、溜まり易いことが課題であった。このため、リモートパネルの本体筐体の内部に湿気がこもり、内部の電装部材が損耗し易くなる可能性があることが懸念されていた。
【０００６】
本発明は、上記の点に鑑みなされたものであり、洗車条件の設定操作を行うためのリモートパネルの本体筐体の内部に湿気がこもり易くなることを抑制することが可能な洗車機を提供することを目的とする。
【課題を解決するための手段】
【０００７】
上記の課題を解決するため、本発明は、洗車条件の設定操作を行うとともに被洗浄車両の進入経路に沿って設置されるリモートパネルを備えた洗車機において、前記リモートパネルが、地面に立てた状態で設けられるスタンド部と、前記スタンド部により支持される本体筐体と、前記本体筐体の前面に設けられる料金の投入口と、前記本体筐体の前面に開口して釣り銭を受ける返却口と、前記スタンド部の内部に配置され前記本体筐体を昇降させるエアシリンダと、エア配管を介して前記エアシリンダに接続されるとともに電気信号により前記エアシリンダを駆動制御する制御部材と、を備え、前記本体筐体の前面が下壁よりも下方に延びる延設部を有し、前記返却口を前記延設部に設けるとともに、前記制御部材を前記スタンド部の内部に配置したことを特徴としている。
【０００８】
また、上記構成の洗車機において、前記制御部材が前記延設部に対向して配置されることを特徴としている。
【０００９】
また、上記構成の洗車機において、地面から前記延設部の下端までの高さが６００ｍｍよりも低く、地面から前記制御部材の下端まで高さが６００ｍｍよりも高いことを特徴としている。
【００１０】
また、上記構成の洗車機において、前記制御部材が電磁バルブからなることを特徴としている。
【００１１】
また、上記構成の洗車機において、前記返却口の前面が常時開放され、前記返却口の底部に水抜き孔が設けられることを特徴としている。
【００１２】
また、上記構成の洗車機において、前記本体筐体の前面を覆う前面板と、前記本体筐体の下壁を形成する底面板とを備え、前記底面板の前端を下方に折り曲げた折曲部を前記前面板の背面に重ねて前記延設部を形成したことを特徴としている。
【００１３】
また、上記構成の洗車機において、前記本体筐体の前面を覆う前面板と、前記本体筐体の下壁を形成する底面板とを備え、前記底面板を前記返却口の上方に配置して前記前面板により前記延設部を形成したことを特徴としている。
【００１４】
また、上記構成の洗車機において、前記本体筐体の前面を覆う前面板と、前記本体筐体の下壁を形成する底面板とを備え、前記底面板の前端を下方に折り曲げた折曲部を前記前面板の下方に配置して前記延設部を形成したことを特徴としている。
【発明の効果】
【００１５】
本発明の構成によれば、洗車条件の設定操作を行うためのリモートパネルの本体筐体の下壁よりも下方に釣り銭の返却口を設けたので、本体筐体の内部に湿気が侵入し難くすることができる。したがって、リモートパネルの本体筐体の内部に湿気がこもり易くなることを抑制することが可能な洗車機を提供することができる。
【００１６】
また、エアシリンダの制御部材をスタンド部の内部に配置したので、エアシリンダの制御部材に接続されるエア配管をリモートパネルの本体筐体の下壁を貫通するように配管する必要がない。したがって、本体筐体の下壁にエア配管のための配管用部材を設ける必要がなく、構造の簡素化や、部品点数及び製造工程の低減が図られた洗車機を提供することができる。
【図面の簡単な説明】
【００１７】
【図１】本発明の第１実施形態に係る洗車機の側面図である。
【図２】本発明の第１実施形態に係る洗車機のリモートパネルの正面図である。
【図３】本発明の第１実施形態に係る洗車機のリモートパネルの部分断面正面図である。
【図４】本発明の第１実施形態に係る洗車機のリモートパネルの本体筐体下部及びスタンド部上部を示す部分断面側面図である。
【図５】本発明の第２実施形態に係る洗車機のリモートパネルの本体筐体下部及びスタンド部上部を示す部分断面側面図である。
【図６】本発明の第３実施形態に係る洗車機のリモートパネルの本体筐体下部及びスタンド部上部を示す部分断面側面図である。
【発明を実施するための形態】
【００１８】
以下、本発明の実施形態を図１〜図６に基づき説明する。
【００１９】
＜第１実施形態＞
最初に、本発明の第１実施形態に係る洗車機について、図１を用いてその全体構造と動作を説明する。図１は洗車機の側面図である。なお、図１に係る以下の説明において、洗車機及び被洗浄車両の前後方向は図１の左右横方向を表し、洗車機及び被洗浄車両の左右横方向（幅方向）は図１の紙面奥行き方向を表す。
【００２０】
洗車機ＷＡは、図１に示すように洗車機本体１、レール２及びリモートパネル７Ａを備える。洗車機本体１は上下方向に延びる左右の対向する（図１では紙面奥行き方向で対向する）２つの側壁部１Ｓと、洗車機本体１の左右横方向に延びて２つの側壁部１Ｓの上端を連結する天井部１Ｔとを有して門型に形成される。
【００２１】
レール２は地面に左右一対が設けられ、洗車機本体１の２つの側壁部１Ｓの底面に設けた車輪３がレール２の上に配置される。これにより、洗車機本体１はレール２の上に立てた状態で設置され、走行モータ（不図示）の駆動によりレール２上を走行して被洗浄車両ＣＡに対して前後方向に相対移動する。
【００２２】
リモートパネル７Ａは洗車機本体１の進入経路に沿って設置される。被洗浄車両ＣＡの運転者は被洗浄車両ＣＡをリモートパネル７Ａの面前で停車させ、被洗浄車両ＣＡの内部からリモートパネル７Ａを操作して洗車条件の設定を行う。
【００２３】
リモートパネル７Ａの操作部７７（後述、図２参照）に設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００２４】
洗車機本体１の側方には洗剤やワックス等の各種液剤を貯液した複数の貯液タンクを収納するタンク収納部１７が配置される。タンク収納部１７の上方には市水及び各貯液タンクからの液剤を分配する分配配管部１８が設けられる。分配配管部１８には第１、第２浄水ノズル１１、１３、第１、第２洗剤ノズル１２、１５、撥水コートノズル１４、ワックスノズル１６がそれぞれ電磁バルブを介して接続される。
【００２５】
第１、第２浄水ノズル１１、１３は洗車機本体１の、被洗浄車両ＣＡの入口側及び出口側に各々配置され、被洗浄車両ＣＡに対して市水を噴射する。第１、第２洗剤ノズル１２、１５は洗車機本体１の、被洗浄車両ＣＡの入口側及び出口側に各々配置され、被洗浄車両ＣＡに対してシャンプーなどの洗浄液を噴射する。
【００２６】
撥水コートノズル１４及びワックスノズル１６は洗車機本体１の後部に配置される。撥水コートノズル１４は被洗浄車両ＣＡに対して撥水コートの液剤を噴射する。ワックスノズル１６は被洗浄車両ＣＡに対してワックスの液剤を噴射する。
【００２７】
また、洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は洗車機本体１の上部に設けられ被洗浄車両ＣＡの上面に向けて送風する。サイド送風ノズル２２は洗車機本体１の左右両側部に設けられ、被洗浄車両ＣＡの側面に向けて送風する。トップ送風ノズル２１及びサイド送風ノズル２２の送風によって洗浄後の被洗浄車両ＣＡの表面を乾燥させる。
【００２８】
洗車機本体１の前側上部、側部には車両形状センサ８、９が設けられる。車両形状センサ８、９は光電センサや超音波センサ等からなり、洗車機本体１に進入する被洗浄車両ＣＡの外面形状を検知する。これにより、各回転ブラシの初期位置や洗車機本体１の走行範囲が決定される。
【００２９】
洗車機本体１の一方の側壁部１Ｓの前面には操作パネル７が配置される。操作パネル７はリモートパネル７Ａと同様に洗車条件を設定する操作部（不図示）を備え、被洗浄車両ＣＡから降車した利用者等の操作により洗車の受け付けや洗車条件の設定を行うことができる。
【００３０】
洗車機本体１には被洗浄車両ＣＡの表面上を滑らせてブラッシングする複数の回転ブラシが設けられる。回転ブラシはトップブラシ４、サイドブラシ５及びロッカーブラシ６からなる。トップブラシ４は洗車機本体１の上部に設けられ、被洗浄車両ＣＡの上面を洗浄する。サイドブラシ５及びロッカーブラシ６は洗車機本体１に左右一対が設けられ、被洗浄車両ＣＡの側面を洗浄する。
【００３１】
上記構成の洗車機ＷＡに対して、利用者は被洗浄車両ＣＡを運転してリモートパネル７Ａの面前で停車させ、被洗浄車両ＣＡの内部から所望する洗車条件の設定を行う。このとき、利用者はまずリモートパネル７Ａに対して金銭を投入したり、カードを挿入したりすることにより洗車に係る料金の支払いを行う。続いて、利用者は所望する洗車条件の設定を行って、釣り銭やカード、レシート等を受け取る。そして、利用者は所定の洗浄開始位置まで被洗浄車両ＣＡを移動させる。その後、洗車機ＷＡは設定された洗車条件に基づいて被洗浄車両ＣＡの洗車を実行する。
【００３２】
続いて、リモートパネル７Ａの詳細な構成について、図１に加えて図２〜図４を用いて説明する。図２及び図３はリモートパネル７Ａの正面図及び部分断面正面図である。図４はリモートパネル７Ａの本体筐体下部及びスタンド部上部を示す部分断面側面図である。
【００３３】
リモートパネル７Ａは、図２及び図３に示すように本体筐体７１及びスタンド部９０を備える。本体筐体７１は正面視矩形の箱体からなり、地面に立てた状態で設けられたスタンド部９０により下方から支持される。
【００３４】
本体筐体７１の前面にはコイン投入口７２及び紙幣投入口７３、返却レバー７４、カード挿入口７５、釣り銭の返却口７６、操作部７７、上昇ボタン７８ａ及び下降ボタン７８ｂが設けられる。
【００３５】
コイン投入口７２及び紙幣投入口７３は料金の投入口であって、返却レバー７４がその料金を返却するためのレバーである。カード挿入口７５は例えばクレジットカードなどの挿入口である。
【００３６】
釣り銭の返却口７６は本体筐体７１の前面に開口して釣り銭を受ける。返却口７６は、図４に示すようにその前面が常時開放され、底部に水抜き孔７６ａを備える。水抜き孔７６ａは返却口７６の内側から外側まで下方に向かって貫通する。前面から返却口７６の内部に侵入して返却口７６に溜まった水は水抜き孔７６ａを通って滴下して排出される。
【００３７】
操作部７７は例えば液晶パネルや複数の機械式押しボタンを並べて形成される。操作部７７にはシャンプー、ワックス掛け、撥水コートなどといった洗車条件を設定するためのボタンが設けられる。また、操作部７７にはフロントガード有り、フェンダーポール有り、サイドミラー有り、リヤワイパー有り、ルーフキャリア有りなどといった装備品に係る設定を行うためのボタンも設けられる。さらに、操作部７７には洗車の開始を指示するためのスタートボタンや、設定を解除するためのキャンセルボタンなども設けられる。
【００３８】
上昇ボタン７８ａ及び下降ボタン７８ｂはスタンド部９０の内部に設けられた昇降機構を作動させて本体筐体７１を上下方向に移動させるためのボタンである。上昇ボタン７８ａを操作するとスタンド部９０が駆動して本体筐体７１が上昇し、下降ボタン７８ｂを操作するとスタンド部９０が駆動して本体筐体７１が下降する。
【００３９】
スタンド部９０は、図３に示すように外カバー９１及び内カバー９２の内側に本体筐体７１の昇降機構であるエアシリンダ９３を備える。
【００４０】
外カバー９１は地面に立てた状態で設置され、その上面が開口する。内カバー９２は本体筐体７１の下部に取り付けられて下方に向かって延び、外カバー９１の上面の開口から外カバー９１の内側に挿入される。内カバー９２はその下面が開口する。
【００４１】
エアシリンダ９３は内カバー９２の内側に配置され、台座部９４を介して地面に立てた状態で設置される。エアシリンダ９３の上端からはシリンダロッド９５が上方に向かって延び、シリンダロッド９５の上端で本体筐体７１の下部を支持する。シリンダロッド９５はエアシリンダ９３の内部の空気室（不図示）にエアが供給されて滑らかに上昇し、空気室のエアが抜けて滑らかに下降する。
【００４２】
エアシリンダ９３の上方には、エアシリンダ９３の上端に設置された支持枠体９７を介して上部プレート９６が設置される。上部プレート９６は略水平になるよう設置され、その上面にエアシリンダ９３の制御部材である電磁バルブ９８が設置される。なお、シリンダロッド９５はその動作が上部プレート９６、支持枠体９７及び電磁バルブ９８に規制されることなくスムーズに上下に移動することができる。
【００４３】
電磁バルブ９８には洗車機本体１に設けられたエアポンプ（不図示）から延びるエア配管９９ａが接続される。さらに、電磁バルブ９８とエアシリンダ９３との間にはエア配管９９ｂが接続される。電磁バルブ９８は後述する制御部ＣＤからエアシリンダ９３の制御信号である電気信号を受信し、エアポンプから供給されるエアによりエアシリンダ９３を駆動制御する。
【００４４】
そして、本体筐体７１はリモートパネル７Ａの全体を制御するための制御部ＣＤをその内部に備える。制御部ＣＤは不図示のＣＰＵや記憶部、その他の電子部品で構成される。制御部ＣＤは記憶部等に記憶されたプログラム、データやリモートパネル７Ａを介して設定された洗車条件などに基づき洗車機本体１、各回転ブラシ及び各送風ノズル等の構成要素の動作を制御して一連の洗車運転を実現する。また、リモートパネル７Ａから上昇ボタン７８ａ及び下降ボタン７８ｂが操作されると、制御部ＣＤは電磁バルブ９８に電気信号を送信し、エアシリンダ９３に対してエアを供給または排出させて本体筐体７１の上下移動を駆動制御させる。
【００４５】
ここで、リモートパネル７Ａの本体筐体７１は、図３及び図４に示すようにその下面を覆って下壁７９Ｕを形成する底面板７９を備える。なお、スタンド部９０の内カバー９２及びシリンダロッド９５の上端は下壁７９Ｕの下面に連結される。底面板７９は前端、後端及び左右の側端を下方に折り曲げた折曲部７９Ｂを備える。
【００４６】
また、本体筐体７１はその前面を覆う前面板７１Ｆを備える。そして、本体筐体７１はその前面が下壁７９Ｕよりも下方に延びる延設部７１Ｅを有する。延設部７１Ｅは底面板７９の前側の折曲部７９Ｂを前面板７１Ｆの下部の背面に重ねて形成される。
【００４７】
釣り銭の返却口７６は延設部７１Ｅに設けられる。すなわち、釣り銭の返却口７６は延設部７１Ｅにおいて底面板７９の折曲部７９Ｂと前面板７１Ｆとを開口して設置されるので、リモートパネル７Ａの前面側から釣り銭が取り出し可能になっている。このようにして、釣り銭の返却口７６は本体筐体７１の下壁７９Ｕよりも下方に設けられ、下壁７９Ｕよりも上方、すなわち本体筐体７１の内部に湿気が侵入し難くすることができる。
【００４８】
また、エアシリンダ９３の電磁バルブ９８は延設部７１Ｅに対向して本体筐体７１の下壁７９Ｕより下方に配置される。これにより、電磁バルブ９８に接続されるエア配管９９ａ、９９ｂが本体筐体７１の下壁７９Ｕを貫通するように配管する必要がない。なお、地面から延設部７１Ｅの下端までの高さｈ１は６００ｍｍよりも低く、地面から電磁バルブ９８の下端まで高さｈ２は６００ｍｍよりも高い。これにより、リモートパネル７Ａは火災予防に配慮した構成となる。
【００４９】
＜第２実施形態＞
次に、本発明の第２実施形態に係る洗車機について、図５を用いて説明する。図５は洗車機のリモートパネルの本体筐体下部及びスタンド部上部を示す部分断面側面図である。なお、この実施形態の基本的な構成は先に説明した第１実施形態と同じであるので、第１実施形態と共通する構成要素には前と同じ符号を付してその説明を省略するものとする。
【００５０】
第２実施形態の洗車機ＷＡではリモートパネル７Ａの本体筐体７１が、図５に示すようにその下面を覆って下壁８０Ｕを形成する底面板８０を備える。底面板８０は前端、後端及び左右の側端を上方に折り曲げた折曲部８０Ｂを備える。
【００５１】
本体筐体７１はその前面が下壁８０Ｕよりも下方に延びる延設部７１Ｅを有する。延設部７１Ｅは底面板８０を釣り銭の返却口７６の上方に配置して前面板７１Ｆにより形成される。
【００５２】
釣り銭の返却口７６は延設部７１Ｅに設けられる。すなわち、釣り銭の返却口７６は延設部７１Ｅにおいて前面板７１Ｆを開口して設置されるので、リモートパネル７Ａの前面側から釣り銭が取り出し可能になっている。エアシリンダ９３の電磁バルブ９８は延設部７１Ｅに対向して本体筐体７１の下壁８０Ｕより下方のスタンド部９０の内部に配置される。
【００５３】
＜第３実施形態＞
次に、本発明の第３実施形態に係る洗車機について、図６を用いて説明する。図６は洗車機のリモートパネルの本体筐体下部及びスタンド部上部を示す部分断面側面図である。なお、この実施形態の基本的な構成は先に説明した第１実施形態と同じであるので、第１実施形態と共通する構成要素には前と同じ符号を付してその説明を省略するものとする。
【００５４】
第３実施形態の洗車機ＷＡではリモートパネル７Ａの本体筐体７１が、図６に示すようにその下面を覆って下壁８１Ｕを形成する底面板８１を備える。底面板８１は前端、後端及び左右の側端を下方に折り曲げた折曲部８１Ｂを備える。
【００５５】
本体筐体７１はその前面が下壁８１Ｕよりも下方に延びる延設部７１Ｅを有する。延設部７１Ｅは底面板８１の前側の折曲部８１Ｂを前面板７１Ｆの下方に配置して形成される。
【００５６】
釣り銭の返却口７６は延設部７１Ｅに設けられる。釣り銭の返却口７６は延設部７１Ｅにおいて底面板８１の折曲部８１Ｂを開口して設置されるので、リモートパネル７Ａの前面側から釣り銭が取り出し可能になっている。エアシリンダ９３の電磁バルブ９８は延設部７１Ｅに対向して本体筐体７１の下壁８１Ｕより下方のスタンド部９０の内部に配置される。
【００５７】
上記実施形態のように、洗車機ＷＡは洗車条件の設定操作を行うとともに被洗浄車両ＣＡの進入経路に沿って設置されるリモートパネル７Ａを備える。リモートパネル７Ａは地面に立てた状態で設けられるスタンド部９０と、スタンド部９０により支持される本体筐体７１と、本体筐体７１の前面に設けられるコイン投入口７２及び紙幣投入口７３と、本体筐体７１の前面に開口して釣り銭を受ける返却口７６と、スタンド部９０の内部に配置され本体筐体７１を昇降させるエアシリンダ９３と、エア配管９９ｂを介してエアシリンダ９３に接続されるとともに電気信号によりエアシリンダ９３を駆動制御する電磁バルブ９８と、を備える。さらに、リモートパネル７Ａは本体筐体７１の前面が下壁７９Ｕ（８０Ｕ、８１Ｕ）よりも下方に延びる延設部７１Ｅを有し、釣り銭の返却口７６を延設部７１Ｅに設けるとともに、電磁バルブ９８をスタンド部９０の内部に配置している。
【００５８】
この構成によれば、リモートパネル７Ａの本体筐体７１の下壁７９Ｕ（８０Ｕ、８１Ｕ）よりも下方に釣り銭の返却口７６を設けたので、本体筐体７１の内部に湿気が侵入し難くすることができる。したがって、リモートパネル７Ａの本体筐体７１の内部に湿気がこもり易くなることを抑制することが可能である。
【００５９】
また、エアシリンダ９３の制御部材である電磁バルブ９８をスタンド部９０の内部に配置したので、電磁バルブ９８に接続されるエア配管９９ａ、９９ｂがリモートパネル７Ａの本体筐体７１の下壁７９Ｕ（８０Ｕ、８１Ｕ）を貫通するように配管する必要がない。したがって、本体筐体７１の下壁７９Ｕ（８０Ｕ、８１Ｕ）にエア配管のための配管用部材を設ける必要がなく、構造の簡素化や、部品点数及び製造工程の低減を図ることができる。
【００６０】
また、洗車機ＷＡはエアシリンダ９３の制御部材である電磁バルブ９８がリモートパネル７Ａの本体筐体７１の延設部７Ｅに対向して配置される。さらに、地面から延設部７１Ｅの下端までの高さｈ１が６００ｍｍよりも低く、地面から電磁バルブ９８の下端まで高さｈ２が６００ｍｍよりも高い。
【００６１】
これらの構成によれば、電磁バルブ９８を一定以上の高さに配置することができる。したがって、リモートパネル７Ａを火災予防に配慮した構成にすることが可能であり、洗車機ＷＡの安全性が向上する。
【００６２】
また、洗車機ＷＡはスタンド部９０の内部に配置したエアシリンダ９３の制御部材が電磁バルブ９８からなる。
【００６３】
電磁バルブ９８をリモートパネル７Ａの本体筐体７１の内部、すなわち下壁７９Ｕ（８０Ｕ、８１Ｕ）よりも上方に設置すると、電磁バルブ９８に接続されるエア配管９９ａ、９９ｂが下壁７９Ｕ（８０Ｕ、８１Ｕ）を貫通するように配管しなければならない。しかしながら、上記構成によれば、エア配管９９ａ、９９ｂが下壁７９Ｕ（８０Ｕ、８１Ｕ）を貫通するように配管する必要がない。
【００６４】
また、リモートパネル７Ａは釣り銭の返却口７６の前面が常時開放され、釣り銭の返却口７６の底部に水抜き孔７６ａを設けている。
【００６５】
この構成によれば、釣り銭の返却口７６の前面に蓋などのカバー部材が設置されない。したがって、リモートパネル７Ａの前面側から釣り銭を取り出し易くすることが可能であり、部品点数の低減を図ることができる。一方、釣り銭の返却口７６の前面が常時開放されていると釣り銭の返却口７６に水が入り易く、溜まり易くなる。しかしながら、上記構成によれば、釣り銭の返却口７６の底部から排水し易くすることができる。
【００６６】
そして、リモートパネル７Ａは本体筐体７１の前面を覆う前面板７１Ｆと、本体筐体７１の下壁７９Ｕを形成する底面板７９とを備え、底面板７９の前端を下方に折り曲げた折曲部７９Ｂを前面板７１Ｆの背面に重ねて延設部７１Ｅを形成している。
【００６７】
また、リモートパネル７Ａは本体筐体７１の前面を覆う前面板７１Ｆと、本体筐体７１の下壁８０Ｕを形成する底面板８０とを備え、底面板８０を釣り銭の返却口７６の上方に配置して前面板７１Ｆにより延設部７１Ｅを形成している。
【００６８】
また、リモートパネル７Ａは本体筐体７１の前面を覆う前面板７１Ｆと、本体筐体７１の下壁８１Ｕを形成する底面板８１とを備え、底面板７９の前端を上方に折り曲げた折曲部８１Ｂを前面板７１Ｆの下方に配置して延設部７１Ｅを形成している。
【００６９】
これら底面板７９、８０、８１及び折曲部７９Ｂ、８０Ｂ、８１Ｂの構成によれば、本体筐体７１の前面が下壁７９Ｕ、８０Ｕ、８１Ｕよりも下方に延びる延設部７１Ｅを容易に形成することが可能になる。したがって、釣り銭の返却口７６を延設部７１Ｅに設け、エアシリンダ９３の制御部材である電磁バルブ９８をスタンド部９０の内部に配置した構成を容易に実現することができる。
【００７０】
このようにして、本発明の上記実施形態の構成によれば、リモートパネル７Ａの本体筐体７１の内部に湿気がこもり易くなることを抑制することができ、構造の簡素化や、部品点数及び製造工程の低減が図られた洗車機ＷＡを提供することができる。
【００７１】
以上、本発明の実施形態につき説明したが、本発明の範囲はこれに限定されるものではなく、発明の主旨を逸脱しない範囲で種々の変更を加えて実施することができる。
【００７２】
例えば、上記実施形態では、底面板７９、８０、８１は各々折曲部７９Ｂ、８０Ｂ、８１Ｂを備えるが、必ずしも折曲部７９Ｂ、８０Ｂ、８１Ｂを備えていなければならないわけではない。例えば、底面板７９、８０、８１は各々折曲部７９Ｂ、８０Ｂ、８１Ｂを備えず、各々の前端、後端及び左右の側端の端面が溶接などにより本体筐体７１と接合されても良い。
【産業上の利用可能性】
【００７３】
本発明は洗車条件の設定操作を行うとともに被洗浄車両の進入経路に沿って設置されるリモートパネルを備えた洗車機において利用可能である。
【符号の説明】
【００７４】
１    洗車機本体
７    操作パネル
７Ａ    リモートパネル
７１    本体筐体
７１Ｅ    延設部
７１Ｆ    前面板
７２    コイン投入口（料金の投入口）
７３    紙幣投入口（料金の投入口）
７６    釣り銭の返却口（返却口）
７６ａ    水抜き孔
７７    操作部
９０    スタンド部
９１    外カバー
９２    内カバー
９３    エアシリンダ
９８    電磁バルブ（制御部材）
９９ａ、９９ｂ    エア配管
７９、８０、８１    底面板
７９Ｂ、８０Ｂ、８１Ｂ    折曲部
７９Ｕ、８０Ｕ、８１Ｕ    下壁
ＷＡ    洗車機
ＣＡ    被洗浄車両
【図１】
0006020431.tif 000002
【図２】
0006020431.tif 000003
【図３】
0006020431.tif 000004
【図４】
0006020431.tif 000005
【図５】
0006020431.tif 000006
【図６】
0006020431.tif 000007